(57)【要約】【課題】簡単に係止部をスラブ裏面に係止できる構成でありながら、不要になった際には簡単に取り外すことができ、再利用も行えるアンカー部材の提供。【解決手段】被取付部材１の貫通孔２に挿通配設される本体ボルト４の先端部に、前記被取付部材１の裏面側に係止する係止部５が設けられ、この係止部５と前記螺子部３に螺合せしめられ前記被取付部材１の表面側に係止するナット体６とで前記被取付部材１を挟持するように構成されたアンカー部材であって、前記係止部５は、前記貫通孔２を通過可能な閉状態と前記被取付部材１の裏面側に係止可能な開状態とに切り替え可能に構成し、前記本体ボルト４には前記係止部５を操作するための操作体７を挿入可能な挿入部８を設け、前記係止部５は前記操作体７により前記閉状態から前記開状態に切り替えられるように構成する。【選択図】図１
2019090519.tif 000002
【特許請求の範囲】
【請求項１】
被取付部材の貫通孔に挿通配設され周面に螺子部が形成された本体ボルトの先端部に、前記被取付部材の裏面側に係止する係止部が設けられ、この係止部と前記螺子部に螺合せしめられ前記被取付部材の表面側に係止するナット体とで前記被取付部材を挟持するように構成されたアンカー部材であって、前記係止部は、前記貫通孔を通過可能な閉状態と前記被取付部材の裏面側に係止可能な開状態とに切り替え可能に構成され、前記本体ボルトには前記係止部を操作するための操作体を挿入可能な挿入部が設けられ、前記係止部は、前記挿入部に挿入された前記操作体により前記閉状態から前記開状態に切り替えられるように構成されていることを特徴とするアンカー部材。
【請求項２】
請求項１記載のアンカー部材において、前記係止部を前記閉状態となるように付勢する付勢機構が設けられていることを特徴とするアンカー部材。
【請求項３】
請求項２記載のアンカー部材において、前記係止部は、前記操作体により前記付勢機構による付勢に抗して押動することで前記閉状態から前記開状態に切り替えられるように構成されていることを特徴とするアンカー部材。
【請求項４】
請求項１〜３いずれか１項に記載のアンカー部材において、前記本体ボルトの先端に一対の遊離端部を有するＵ字状の係止部保持体が設けられ、前記係止部は前記遊離端部に軸着されていることを特徴とするアンカー部材。
【請求項５】
請求項１〜４いずれか１項に記載のアンカー部材において、前記係止部は前記開状態においては前記貫通孔の直径を超える長さを有する構成であり、前記閉状態においては前記本体ボルトの軸方向延長線上に配されるものであることを特徴とするアンカー部材。
【請求項６】
請求項１〜５いずれか１項に記載のアンカー部材において、前記係止部は、左右両側が前記被取付部材の裏面に当接係止する当接係止面であることを特徴とするアンカー部材。
【請求項７】
請求項１〜６いずれか１項に記載のアンカー部材において、前記係止部は板体であり、端部には、前記操作体による押動をガイドするガイド溝が設けられていることを特徴とするアンカー部材。
【請求項８】
請求項１〜７いずれか１項に記載のアンカー部材において、前記係止部は、回動軸を中心として回動自在に設けられ、前記本体ボルトの軸方向との交差角度が平行に近い閉状態と、前記本体ボルトの軸方向との交差角度が直角に近い開状態とに切り替えられるように構成されていることを特徴とするアンカー部材。
【請求項９】
請求項８記載のアンカー部材において、前記回動軸に一端側が係止され、前記係止部に他端側が係止されたバネ体により、前記係止部が前記閉状態となるように付勢されていることを特徴とするアンカー部材。
【請求項１０】
請求項１〜９いずれか１項に記載のアンカー部材において、前記挿入部は貫通孔であることを特徴とするアンカー部材。
【発明の詳細な説明】
【技術分野】
【０００１】
本発明は、アンカー部材に関するものである。
【背景技術】
【０００２】
従来から、既存のコンクリートスラブに穿設された取付孔に取り付けられるアンカーボルト（所謂後施工金属アンカー）が知られている。
【０００３】
ところで、鉄骨造の床スラブはデッキプレートとコンクリートとを一体化させたデッキコンクリートが主流となっている。この場合、コンクリートとの一体性を高めるために山谷形状のデッキプレートを用いると、プレート谷部ではスラブ厚さを確保できるが、プレート山部ではスラブ厚さを確保できず、取付孔が非貫通孔であると十分な引張強度が確保できない場合がある。そのため、プレート山部では、取付孔を貫通孔として貫通孔用の金属アンカーを用いる場合がある。
【０００４】
この貫通孔用の金属アンカーは、アンカーボルト本体をコンクリートスラブに穿設された貫通孔に挿通配設し、貫通孔を通過したアンカーボルト本体の先端部に設けられた係止部をスラブ裏面に係止させ、係止部とアンカーボルト本体の基端側に螺合せしめられるナットとでスラブを挟持することで固定される。
【０００５】
ここで、係止部をスラブ裏面に係止させる際に、貫通孔を通過した先端部に、スラブ裏面側から係止部を取り付けることができない場合（スラブ裏面側が開放された空間ではない場合等）、特許文献１に開示されるような、アンカーボルト本体の先端部に回動自在に設けた係止部を、スラブ裏面と係止可能な開状態となるように開き付勢するバネ機構を有するものを用いるのが一般的である。
【０００６】
この場合、係止部を開き付勢に抗して貫通孔内に挿入し反対側まで押し込むと、貫通孔を通過した係止部が開き付勢により開状態となり、スラブ裏面に係止することになる。
【０００７】
しかしながら、上記従来の金属アンカーでは、スラブ表面側から、バネ機構によって開き付勢される開状態の係止部を貫通孔を通過できるように閉じ操作することは厄介であり、不要になった金属アンカーを取り外すことは容易でない。
【先行技術文献】
【特許文献】
【０００８】
【特許文献１】特開２００５−６１４９０号公報
【発明の概要】
【発明が解決しようとする課題】
【０００９】
本発明は、上述のような現状に鑑み、特許文献１と同様に簡単に係止部をスラブ裏面に係止できる構成でありながら、不要になった際には簡単に取り外し、再利用も行える極めて実用的なアンカー部材を提供するものである。
【課題を解決するための手段】
【００１０】
添付図面を参照して本発明の要旨を説明する。
【００１１】
被取付部材１の貫通孔２に挿通配設され周面に螺子部３が形成された本体ボルト４の先端部に、前記被取付部材１の裏面側に係止する係止部５が設けられ、この係止部５と前記螺子部３に螺合せしめられ前記被取付部材１の表面側に係止するナット体６とで前記被取付部材１を挟持するように構成されたアンカー部材であって、前記係止部５は、前記貫通孔２を通過可能な閉状態と前記被取付部材１の裏面側に係止可能な開状態とに切り替え可能に構成され、前記本体ボルト４には前記係止部５を操作するための操作体７を挿入可能な挿入部８が設けられ、前記係止部５は、前記挿入部８に挿入された前記操作体７により前記閉状態から前記開状態に切り替えられるように構成されていることを特徴とするアンカー部材に係るものである。
【００１２】
また、請求項１記載のアンカー部材において、前記係止部５を前記閉状態となるように付勢する付勢機構が設けられていることを特徴とするアンカー部材に係るものである。
【００１３】
また、請求項２記載のアンカー部材において、前記係止部５は、前記操作体７により前記付勢機構による付勢に抗して押動することで前記閉状態から前記開状態に切り替えられるように構成されていることを特徴とするアンカー部材に係るものである。
【００１４】
また、請求項１〜３いずれか１項に記載のアンカー部材において、前記本体ボルト４の先端に一対の遊離端部13を有するＵ字状の係止部保持体14が設けられ、前記係止部５は前記遊離端部13に軸着されていることを特徴とするアンカー部材に係るものである。
【００１５】
また、請求項１〜４いずれか１項に記載のアンカー部材において、前記係止部５は前記開状態においては前記貫通孔２の直径を超える長さを有する構成であり、前記閉状態においては前記本体ボルト４の軸方向延長線上に配されるものであることを特徴とするアンカー部材に係るものである。
【００１６】
また、請求項１〜５いずれか１項に記載のアンカー部材において、前記係止部５は、左右両側が前記被取付部材１の裏面に当接係止する当接係止面であることを特徴とするアンカー部材に係るものである。
【００１７】
また、請求項１〜６いずれか１項に記載のアンカー部材において、前記係止部５は板体であり、端部には、前記操作体７による押動をガイドするガイド溝18が設けられていることを特徴とするアンカー部材に係るものである。
【００１８】
また、請求項１〜７いずれか１項に記載のアンカー部材において、前記係止部５は、回動軸９を中心として回動自在に設けられ、前記本体ボルト４の軸方向との交差角度が平行に近い閉状態と、前記本体ボルト４の軸方向との交差角度が直角に近い開状態とに切り替えられるように構成されていることを特徴とするアンカー部材に係るものである。
【００１９】
また、請求項８記載のアンカー部材において、前記回動軸９に一端側が係止され、前記係止部５に他端側が係止されたバネ体11により、前記係止部５が前記閉状態となるように付勢されていることを特徴とするアンカー部材に係るものである。
【００２０】
また、請求項１〜９いずれか１項に記載のアンカー部材において、前記挿入部８は貫通孔であることを特徴とするアンカー部材に係るものである。
【発明の効果】
【００２１】
本発明は上述のように構成したから、簡単に係止部をスラブ裏面に係止できる構成でありながら、不要になった際には簡単に取り外すことができ、再利用も行える極めて実用的なアンカー部材となる。
【図面の簡単な説明】
【００２２】
【図１】本実施例の概略説明斜視図である。
【図２】本実施例の作業工程説明図である。
【図３】本実施例の作業工程説明図である。
【図４】本実施例の作業工程説明図である。
【図５】本実施例の作業工程説明図である。
【発明を実施するための形態】
【００２３】
好適と考える本発明の実施形態を、図面に基づいて本発明の作用を示して簡単に説明する。
【００２４】
本体ボルト４を被取付部材１の貫通孔２に係止部５を閉状態として挿入し、係止部５が貫通孔２を通過した後、本体ボルト４の基端側から挿入部８に操作体７を挿入し、この操作体７により係止部５を操作して開状態とし、本体ボルト４の基端側に螺合したナット体６を締めることでナット体６と係止部５とにより被取付部材１を表裏から挟み込んでアンカー部材を固定する。
【００２５】
アンカー部材が不要となった場合、（操作体７を抜き取った状態で）ナット体６を緩めて被取付部材１と係止部５との係止を解除し、係止部５を閉状態として貫通孔２から抜き取ることができる。係止部５を閉状態となるように付勢する付勢機構を設けている場合にはナット体６を緩めることで自動的に閉状態となり貫通孔２から抜き取ることが可能となるから、作業性が向上する。
【実施例】
【００２６】
本発明の具体的な実施例について図面に基づいて説明する。
【００２７】
本実施例は、被取付部材１の貫通孔２に挿通配設され周面に螺子部３が形成された本体ボルト４の前記貫通孔２を通過した先端部に、前記被取付部材１の裏面側に係止する係止部５が設けられ、この係止部５と前記本体ボルト４の基端側の螺子部３に螺合せしめられ前記被取付部材１の表面側に係止するナット体６とで前記被取付部材１を挟持するように構成されたアンカー部材であって、前記係止部５は、前記貫通孔２を通過可能な閉状態と前記被取付部材１の裏面側に係止可能な開状態とに切り替え可能に構成され、前記本体ボルト４には基端側から先端側に前記係止部５を操作するための操作体７を挿入可能な挿入部８が設けられ、前記係止部５は、前記挿入部８に挿入された前記操作体７により前記閉状態から前記開状態に切り替えられるように構成され、この開状態となった係止部５と前記ナット体６との締付により前記被取付部材１を挟持し得るように構成され、前記挿入部８から前記操作体７を抜き取った状態では前記閉状態への切り替えが許容されるように構成されており、不要時には前記ナット体６を緩め前記係止部５を閉状態として前記貫通孔２の表面側から引き抜くことができるように構成されているものである。
【００２８】
具体的には本実施例は、被取付部材１としてのコンクリートスラブに後付される後施工金属アンカーであり、特にデッキコンクリートの山部に配設すると好適である。例えばデッキプレート山部におけるスラブの厚さは８０ｍｍ、谷部におけるスラブの厚さは１５０ｍｍ程度である。このアンカー部材には例えば仮設支柱（パイプサポート）や作業台等を固定する。
【００２９】
本体ボルト４はステンレス鋼製で、図１〜５に図示したように、周面に螺子部３（雄螺子）が設けられた円筒状のものであり、その先端には、基端側に本体ボルト４の先端が螺着される螺合部12を有し先端側に本体ボルト４の長手方向（軸方向）と直交する回動不能に設けられる回動軸９が架設された遊離端部13を有するＵ字状の係止部保持体14が設けられている。図中、符号15は軸保持部である。
【００３０】
係止部保持体14の回動軸９には係止部５が回動自在に軸着されている。係止部５は、開状態においては貫通孔２の直径を超える長さを有する構成であり、係止部５の中央部には本体ボルト４の先端の前記回動軸９が挿通する挿通部10が設けられ、この中央部の左右両側に被取付部材１の裏面と当接係止する当接係止面が延設されている。
【００３１】
具体的には、係止部５は板状部材を断面視略コ字状に折り曲げて形成されるものであり、前記当接係止面を有する平坦な矩形板状の基部16と該基部16の左右両側端部に垂設される左右の側板部17とで構成されている。この基部16の上面が当接係止面に設定される。
【００３２】
基部16の一端側（閉状態において本体ボルト４側）には、操作部７の先端をガイドするためのガイド溝18が設けられている。このガイド溝18の溝幅は操作部７の径（螺子部の径）以上で、ガイド溝18の底面22は所定角度で傾斜する傾斜面に設定されている。従って、操作部７の先端がこのガイド溝18にガイドされ、係止部５の当接係止面を良好に押動して開状態とすることができる。
【００３３】
また、左右の側板部17には前記挿通部10（挿通孔）が設けられている。当接係止面は挿通孔に対して左右均等に延設されている（当接係止面は回動軸９に対して左右対称に設けられる。）。
【００３４】
本実施例においては、係止部５を閉状態となるように付勢する付勢機構が設けられている。
【００３５】
具体的には、回動軸９と基部16との間にはバネ体11が設けられている。更に具体的に説明すると、バネ体11としてのねじりバネの一端側が回動軸９に固定され、他端側が基部16の裏面にして一端側寄り位置に固定されており、回動軸９に対して常時基部16の一端側を跳ね上げて、本体ボルト４の軸方向との交差角度が平行に近い閉状態となるように構成されている。係止部５は閉状態では本体ボルト４の軸方向延長線上に配される。図中、符号21はねじりバネの他端側を挟持固定する挟持片である。
【００３６】
また、係止部５は、操作体７により付勢機構による付勢に抗して係止部５を押動することで閉状態から開状態に切り替えられるように構成されている。
【００３７】
具体的には、本体ボルト４の中心には操作部７としての断面円形の直杆部材が挿入される挿入部８（断面円形の貫通孔）が穿設されている。挿入部８は係止部保持体14に架設された回動軸９の直上位置に設けられるように設定されている。図中、符号19は操作部７を操作する際に握持するための握持部である。
【００３８】
挿入部８の基端側から押し込まれた操作部７は、その挿入部８を通過した先端がガイド溝18の傾斜面に当接し、更にバネ体11による付勢に抗して押し込むことで係止部５は開状態となる。具体的には、操作部７を突き当たるまで押し込むと、操作部７の先端面は係止部５の中央部、具体的には回動軸９の直上面（基部16の上面。即ち当接係止面）と当接し、この状態で係止部５の長手方向（当接係止面長手方向）と本体ボルト４の軸方向との交差角度が略直角な開状態となる。
【００３９】
また、係止部５が閉状態のとき、係止部５の一端側が挿入孔の先端開口部近傍に位置せしめられ、ガイド溝18が挿入部８の先端開口部を臨む位置となるようにバネ体11による付勢力等が設定されている。係止部５が閉状態のときのガイド溝18の底面22（傾斜面）の本体ボルト４の軸心に対する傾斜角度αは、操作部７による操作を効率的に行うため、例えば２０°〜５０°程度、好ましくは３０°〜４５°程度に設定する。
【００４０】
以上の構成の本実施例の貫通孔２への取り付け作業工程について説明する。
【００４１】
本実施例の係止部５は常態ではバネ体11により閉状態となっており、この状態のまま本体ボルト４を貫通孔２に挿入する（図２参照）。
【００４２】
続いて、本体ボルト４の係止部５を貫通孔２から突出させた状態で、本体ボルト４の基端から操作部７を挿入し、操作部７の先端で係止部５を押し開く（図３参照）。
【００４３】
続いて、ナット体６と座金20とを本体ボルト４の基端側に被嵌し、係止部５の当接係止面がスラブ裏面に接触するようにナット体６を締付回動し、ナット体６（座金20）と係止部５とでスラブを挟持することで取り付け固定が完了する（図４参照）。なお、操作部７は係止部５が閉状態となることがスラブ裏面で阻止される状態で適宜挿入部８から引き抜く。
【００４４】
アンカー部材が不要となった場合には、図５に図示したように、ナット体６を緩め回動し、本体ボルト４の貫通孔２の先端側からの突出量を増やす（本体ボルト４を押し込む）と、バネ体11の閉じ付勢により係止部５は閉状態となり、図２と同様の状態として容易に引き抜くことができる。
【００４５】
本実施例は上述のように構成したから、本体ボルト４を被取付部材１の貫通孔２に係止部５を閉状態として挿入し、係止部５が貫通孔２を通過した後、本体ボルト４の基端側から挿入部８に操作体７を挿入し、この操作体７により係止部５を操作して開状態とし、本体ボルト４の基端側に螺合したナット体６を締めることでナット体６と係止部５とにより被取付部材１を表裏から挟み込んでアンカー部材を固定することができる。
【００４６】
また、アンカー部材が不要となった場合には、（操作体７を抜き取った状態で）ナット体６を緩めて被取付部材１と係止部５との係止を解除し、バネ体11の閉じ付勢により係止部５を閉状態として良好に貫通孔２から抜き取ることができる。
【００４７】
よって、本実施例は、簡単に係止部をスラブ裏面に係止できる構成でありながら、不要になった際には簡単に取り外し、再利用も行える極めて実用的なものとなる。
【符号の説明】
【００４８】
１  被取付部材
２  貫通孔
３  螺子部
４  本体ボルト
５  係止部
６  ナット体
７  操作体
８  挿入部
９  回動軸
13  遊離端部
14  係止部保持体
18  ガイド溝
【図１】
2019090519.tif 000003
【図２】
2019090519.tif 000004
【図３】
2019090519.tif 000005
【図４】
2019090519.tif 000006
【図５】
2019090519.tif 000007